(57)【特許請求の範囲】
【請求項１】
蓋受枠（１）の上部周縁（２）の大きさに見合い、かつ、断面形状は底部が平面となっている接合プレート（６）と、
この接合プレート（６）の底面（７）と同一平面上に位置する下端面を有しており、同接合プレート（６）における周方向に均等な位置に放射状に固定された３本のアーム（８）と、
この各アーム（８）から下方に延びた状態でそれぞれ取り付けられ、かつ、接合プレート（６）の底面に蓋受枠（１）の上端面を当接させた状態で当該蓋受枠（１）を吊り下げ可能な吊り金具（９）と、
を備えたことを特徴とする蓋受枠ハンガー。
【請求項２】
請求項１に記載の蓋受枠ハンガー（５）において、接合プレート（６）の底面に蓋受枠（１）の上端面を当接させた状態で各吊り金具（９）で当該蓋受枠（１）を吊り下げ、このようにして蓋受枠（１）を前記蓋受枠ハンガー（５）に吊り下げた状態のままで舗装開口部（２０）の周辺部分にアーム（８）の先端部分を置き、その舗装開口部（２）の内部に蓋受枠（１）を懸架することによって、前記蓋受枠（１）の上端面を舗装面（Ａ）と一致させることを特徴とする蓋受枠の設置工法。
【請求項３】
請求項２に記載の蓋受枠の設置工法において、蓋受枠基部（３）とマンホール構成部材（Ｂ）との間の空隙部分（２２）にモルタル（Ｃ）を充填し、このモルタル（Ｃ）が硬化した後で蓋受枠（１）から蓋受枠ハンガー（５）を離脱することによって、その蓋受枠（１）の上端面が舗装面（Ａ）と一致した高さとなる状態で当該蓋受枠（１）をマンホール構成部材（Ｂ）の上に固定することを特徴とする蓋受枠の設置工法。
【発明の詳細な説明】
【０００１】
【産業上の利用分野】
本発明は、マンホールに設置された蓋受枠を施工する際に使用する蓋受枠ハンガーとこれを用いた蓋受枠の設置工法に関するものである。
【０００２】
【従来の技術】
地面を開削し、所定の位置、高さに、マンホールの底部部材を据え、その上に順次マンホール構成部材を組み立てていき、最上端にはマンホールの点検、清掃用に人が入るための鉄蓋の蓋受枠を、交通に支障のないように舗装面と高さを一致させて設置するわけであるが、この高さを一致させるために蓋受枠とマンホール構成部材の最上端との間で以下のような方法によって調整が行なわれている。
【０００３】
（１）マンホール構成部材の最上端と舗装面までの高さから蓋受枠の高さを引去った分の厚さにモルタルを盛り上げて調整し、この上に蓋受枠を乗せ、据え付ける。
【０００４】
（２）（１）のモルタルの代わりとして、交通荷重に耐えられる材料で作られたブロツク状あるいは板状の部材を用いて調整、この部材を除く他の空間部分にモルタルを充填する。
【０００５】
（３）（２）のブロック状あるいは板状の部材の代わりに、マンホール構成部材の最上端に立設された３本のボルトを利用して、このボルトに付けたナットに蓋受枠を置くと、このナットを回すことによって蓋受枠の高さを調整できる。そして調整後には（２）と同じく、空間部分にモルタルを充填する。
【０００６】
（４） また、（３）のナットの代わりにコイル状のバネをボルトにはめて、バネの上に蓋受枠を置く。そして蓋受枠基部の上に付けたナットを回すことによってスプリングが伸縮するので高さを調整することができる。以上が蓋受枠の高さを調整する方法として従来から知られている工法の例である。
【０００７】
【発明が解決しようとする課題】
上記、従来の工法によると、舗装面に対し蓋受枠が上がっているか下がっているか、作業時に何度か定規などを用いて確認が必要であり、また、鋳鉄製の重い蓋受枠を人手で取り扱うなど手間のかかるものとなっていた。
【０００８】
一方、調整後にモルタルを充填する際に、蓋受枠の下にある調整用部材の裏側の方まで十分にモルタルが行きわたるように充填することは容易なことではなかった。
【０００９】
そこで本発明は、蓋受枠を釣支、固定した状態にして舗装開口部の周辺部分に接地させるだけで、蓋受枠の上端面と舗装面の高さが一致するとともに、調整用部材を必要とせず、モルタルの充填が容易、かつ、十分に施工できる蓋受枠ハンガーを提供するものである。
【００１０】
【課題を解決するための手段】
請求項１の発明は、蓋受枠ハンガーに関するものであって、蓋受枠１の上部周縁２の大きさに見合い、かつ、断面形状は底部が平面となっている接合プレート６と、この接合プレート６の底面７と同一平面上に位置する下端面を有しており、同接合プレート６における周方向に均等な位置に放射状に固定された３本のアーム８と、この各アーム８から下方に延びた状態でそれぞれ取り付けられ、かつ、接合プレート６の底面に蓋受枠１の上端面を当接させた状態で当該蓋受枠１を吊り下げ可能な吊り金具９と、を備えたことを特徴とする。
【００１１】
請求項２の発明は、請求項１に記載の蓋受枠ハンガーにおいて、接合プレート６の底面に蓋受枠１の上端面を当接させた状態で各吊り金具９で当該蓋受枠１を吊り下げ、このようにして蓋受枠１を前記蓋受枠ハンガー５に吊り下げた状態のままで舗装開口部２０の周辺部分にアーム８の先端部分を置き、その舗装開口部２の内部に蓋受枠１を懸架することによって、前記蓋受枠１の上端面を舗装面Ａと一致させることを特徴とする蓋受枠の設置工法である。
【００１２】
請求項３の発明は、請求項２に記載の蓋受枠の設置工法において、蓋受枠基部３とマンホール構成部材Ｂとの間の空隙部分２２にモルタルＣを充填し、このモルタルＣが硬化した後で蓋受枠１から蓋受枠ハンガー５を離脱することによって、その蓋受枠１の上端面が舗装面（Ａ）と一致した高さとなる状態で当該蓋受枠１をマンホール構成部材（Ｂ）の上に固定することを特徴とする。
【００１３】
【作用】
上記構成に係る蓋受枠ハンガー５によると、蓋受枠ハンガー５の接合プレート６を蓋受枠１の上部周縁２に合わせて乗せ、この状態で、３本のアーム８・・に装着した吊り金具９・・で蓋受枠１を吊り下げることによって、接合プレート６の底面に蓋受枠１の上端面を当接させた状態で蓋受枠１を蓋受枠ハンガー５に釣支、固定することができる。
【００１４】
また、請求項２によると、蓋受枠ハンガー５の３本のアーム８・・の下端縁が接合プレート６の底面と同一平面上に位置し、かつ、この接合プレート６の底面に蓋受枠１の上端面を当接させた状態で当該蓋受枠１が蓋受枠ハンガー５に吊り下げられていることから、各アーム８・・の先端部分を舗装面Ａの３点で支持させて、蓋受枠ハンガー５に釣支、固定された蓋受枠１を舗装開口部２０に懸架した状態とすることにより、蓋受枠１の上端面と舗装面Ａが一致する。
【００１５】
一方、請求項３によると、蓋受枠１はマンホール構成部材Ｂの上方に懸架されて離れた状態であり、完全な空隙部分２２を形成しているので、この部分にモルタルＣを容易、かつ、十分に充填できる。
【００１６】
また、モルタルＣが硬化した後、蓋受枠ハンガー５の吊り金具９・・を取り外して同ハンガー５を蓋受枠１から離脱するので、蓋受枠１の上端面が舗装面Ａと一致した高さに蓋受枠１が設置されることになる。
【００１７】
【実旅例】
以下、実施例について説明する。（図１〜図３）
この実施例の蓋受枠ハンガー５は、蓋受枠１の上部周縁２の大きさに見合い、かつ、断面形状は底部が平面となる接合プレート６と、この接合プレートの底面７と同一平面となるようにして、放射状、かつ、均等に３本のアーム８・・を備えた構成としている。
図２に示すように、上記各アーム８・・は、接合プレート６の底面７と同一平面上に位置する下端面を有しており、その接合プレート６における周方向に均等な位置に放射状に固定されている。
【００１８】
この３本のアーム８・・には蓋受枠１の基部周縁４付近に相当する位置に垂直方向に長円形をした長穴１３・・を設け、図２に示すように、下端をねじ部１４・・、上端はＴ宇形をしたハンドル部１５・・によって形成する吊り金具９・・を水平方向に回動自在にして装着してある。
【００１９】
また、蓋受枠１の基部周縁４に引っ掛けるようにして取り付けた支え金具１１・・に組み込みのナット１２・・と吊り金具９・・のねじ部１４・・を、しっかりと螺合させることによって、蓋受枠１の上面を接合プレートの底面７に密着させ、蓋受枠ハンガー５に蓋受枠１を釣支、固定する構成になっている。
【００２０】
一方、アーム８・・の先端部分には取手１０・・を設ける。この取手１０・・によって蓋受枠１を蓋受枠ハンガー５に釣支、固定した状態で運搬を容易に行なうことができる。
【００２１】
この構成によると、舗装開口部２０の中にあるマンホール構成部材Ｂの上方に蓋受枠１の位置を合わせてアーム８の先端部分を舗装開口部２０周辺の舗装面Ａに置き、懸架すると蓋受枠１の上端面と舗装面Ａは一致する。
【００２２】
そして、懸架されている蓋受枠基部３の下面とマンホール構成部材Ｂとが形成する空隙部分２２の高さを、世間一般に調整高と称している。
【００２３】
次に、この空隙部分２２にモルタルＣを充填し、しばらくして硬化したならば、吊り金具９・・と支え金具１１・・の螺合を解いて、蓋受枠ハンガー５を蓋受枠１から離脱することができる。
【００２４】
蓋受枠ハンガー５を離脱した後は、蓋受枠１はモルタルＣによってその上端面が舗装面Ａと一致した高さで確実に固定されている。
【００２５】
また、図３のようにモルタルＣを蓋受枠基部３の上側に達するまで充填すると、一層確実な固定ができる。
【００２６】
【発明の効果】
本発明によれば、蓋受枠ハンガーを装着した蓋受枠を舗装開口部の内部に懸架するだけで、蓋受枠の上端面を舗装面の高さと一致させることができるので、蓋受枠の高さ調整のための調整用部材や確認作業が不要となり、舗装開口部に蓋受枠を設置するための工事が極めて簡便になる。
【図面の簡単な説明】
【図１】  本発明による実施例を示す側断面図である。
【図２】  図１の一部断面拡大側面図である。
【図３】  同実施例の蓋受枠ハンガーの斜視図である。
【符号の説明】
１      蓋受枠
２      上部周縁
３      蓋受枠基部
４      基部周縁
５      蓋受枠ハンガー
６      接合プレート
７      接合プレートの底面
８      アーム
９      吊り金具
１０      取手
１１      支え金具
１２      ナット
１３      長穴
１４      ねじ部
１５      ハンドル部
２０      舗装開口部
２１      舗装開口壁
２２      空隙部分
Ａ      舗装面
Ｂ      マンホール構成部材
Ｃ      モルタル
【図１】
0003708197.tif 000002
【図２】
0003708197.tif 000003
【図３】
0003708197.tif 000004